(57)【要約】  所定部材の回転に応じた斬新な発光表現を行うことができる発光装置及び指針式計器を提供する。  指針式計器に含まれる発光装置は、回転軸の円周方向に延びる帯状光を視認させる。発光装置は、光源と、光源から受けた光を回転軸の外径方向に出射する出射部１１２を有する導光体１１０と、回転軸の径方向において出射部１１２と対向する壁部１３１を有し、回転軸を中心に回転可能な遮光キャップ１３０と、遮光キャップ１３０を回転させる駆動部と、を備える。壁部１３１は、出射部１１２から出射された光を通過させる窓部１３２を有する。この発光装置では、遮光キャップ１３０の回転に応じて、出射部１１２のうち窓部１３２から覗く部分の大きさが変化することによって、帯状光の発光範囲が変化する。
2018212173.tif 000002
【特許請求の範囲】
【請求項１】
回転軸の円周方向に延びる帯状光を視認させる発光装置であって、
光源と、
前記光源から受けた光を前記回転軸の外径方向に出射する出射部を有する導光体と、
前記回転軸の径方向において前記出射部と対向する壁部を有し、前記回転軸を中心に回転可能な遮光部と、
前記遮光部を回転させる駆動部と、を備え、
前記壁部は、前記出射部から出射された光を通過させる窓部を有し、
前記遮光部の回転に応じて、前記出射部のうち前記窓部から覗く部分の大きさが変化することによって、前記帯状光の発光範囲が変化する、
ことを特徴とする発光装置。
【請求項２】
前記出射部は、第１出射部と、前記第１出射部と前記回転軸に沿う方向において異なる高さに位置する第２出射部と、を有し、
前記窓部は、前記第１出射部から出射された光を通過させる第１窓部と、前記第２出射部から出射された光を通過させる第２窓部と、を有し、
前記帯状光は、前記第１窓部を通過した光に対応して視認される第１帯状光と、前記第２窓部を通過した光に対応して視認される第２帯状光と、を含み、
前記遮光部の回転に応じて、前記第１出射部のうち前記第１窓部から覗く部分の大きさが変化することによって前記第１帯状光の発光範囲が変化し、前記第２出射部のうち前記第２窓部から覗く部分の大きさが変化することによって前記第２帯状光の発光範囲が変化する、
ことを特徴とする請求項１に記載の発光装置。
【請求項３】
前記遮光部における前記第１窓部と前記第２窓部とは互いに、前記円周方向において重ならない位置に設けられ、
前記遮光部が第１の方向に回転するに従って、前記第１出射部のうち前記第１窓部から覗く部分が大きくなることによって、前記第１帯状光の発光範囲が増加し、
前記遮光部が前記第１の方向とは反対の第２の方向に回転するに従って、前記第２出射部のうち前記第２窓部から覗く部分が大きくなることによって、前記第２帯状光の発光範囲が増加する、
ことを特徴とする請求項２に記載の発光装置。
【請求項４】
前記第１出射部と前記回転軸の径方向において対向し、前記第１窓部を通過した光を前記外径方向へと導く第１導光部と、
前記第２出射部と前記回転軸の径方向において対向し、前記第２窓部を通過した光を前記外径方向へと導く第２導光部と、を備え、
前記第１導光部から出射された光に対応して前記第１帯状光が視認され、前記第２導光部から出射された光に対応して前記第２帯状光が視認される、
ことを特徴とする請求項２又は３に記載の発光装置。
【請求項５】
前記円周方向において前記第１導光部と前記第２導光部とを隔てる遮光壁を備える、
ことを特徴とする請求項４に記載の発光装置。
【請求項６】
前記第１導光部及び前記第２導光部の各々は、前記円周方向に配列された複数の歯を有して櫛歯状に形成されている、
ことを特徴とする請求項５に記載の発光装置。
【請求項７】
乗り物に搭載される指針式計器であって、
請求項１〜６のいずれか１項に記載の発光装置と、
指標部が形成された板部と、
前記遮光部とともに前記回転軸を中心として回転しつつ前記指標部を指示する指針と、を備える、
ことを特徴とする指針式計器。
【請求項８】
乗り物に搭載される指針式計器であって、
請求項２〜６のいずれか１項に記載の発光装置と、
指標部が形成された板部と、
前記遮光部とともに前記回転軸を中心として回転しつつ前記指標部を指示する指針と、を備え、
前記遮光部及び前記指針の回転に応じて、前記指針の回転方向における一方側に前記第１帯状光が視認され、前記指針の回転方向における他方側に前記第２帯状光が視認される、
ことを特徴とする指針式計器。
【請求項９】
前記板部は、前記円周方向に沿って形成された透過窓を有し、
前記第１帯状光は、前記透過窓のうち前記円周方向に沿う第１の範囲を透過して視認され、
前記第２帯状光は、前記透過窓のうち前記円周方向に沿う第２の範囲を透過して視認される、
ことを特徴とする請求項８に記載の指針式計器。
【発明の詳細な説明】
【技術分野】
【０００１】
本発明は、発光装置及び指針式計器に関する。
【背景技術】
【０００２】
従来の発光装置として、例えば特許文献１には、指針の近傍を帯状の光によって発光させる指針式計器が開示されている。【０００３】
特許文献１に開示されている指針式計器は、光源からの光を受けて指針の先端に向かって光を出射する出射部と、指針の回転方向における一方側から他方側に向かう光を遮蔽する遮蔽部とを備えていることによって、指針の回転方向における一方側に帯状の光を出射する。
【先行技術文献】
【特許文献】
【０００４】
【特許文献１】特許第５８５１４７１号公報
【発明の概要】
【発明が解決しようとする課題】
【０００５】
特許文献１に開示されている指針式計器としての発光装置は、帯状に視認される光が指針とともに回転移動することで見栄えの良い表示を実現している。しかしながら、当該装置の構造では、指針などの所定部材の回転に応じて、帯状の光それ自体の発光範囲を変化させるといったことが難しい。【０００６】
本発明は、上記実情に鑑みてなされたものであり、所定部材の回転に応じた斬新な発光表現を行うことができる発光装置及び指針式計器を提供することを目的とする。
【課題を解決するための手段】
【０００７】
上記目的を達成するため、本発明の第１の観点に係る発光装置は、
回転軸の円周方向に延びる帯状光を視認させる発光装置であって、
光源と、
前記光源から受けた光を前記回転軸の外径方向に出射する出射部を有する導光体と、
前記回転軸の径方向において前記出射部と対向する壁部を有し、前記回転軸を中心に回転可能な遮光部と、
前記遮光部を回転させる駆動部と、を備え、
前記壁部は、前記出射部から出射された光を通過させる窓部を有し、
前記遮光部の回転に応じて、前記出射部のうち前記窓部から覗く部分の大きさが変化することによって、前記帯状光の発光範囲が変化する、
ことを特徴とする。【０００８】
前記発光装置において、
前記出射部は、第１出射部と、前記第１出射部と前記回転軸に沿う方向において異なる高さに位置する第２出射部と、を有し、
前記窓部は、前記第１出射部から出射された光を通過させる第１窓部と、前記第２出射部から出射された光を通過させる第２窓部と、を有し、
前記帯状光は、前記第１窓部を通過した光に対応して視認される第１帯状光と、前記第２窓部を通過した光に対応して視認される第２帯状光と、を含み、
前記遮光部の回転に応じて、前記第１出射部のうち前記第１窓部から覗く部分の大きさが変化することによって前記第１帯状光の発光範囲が変化し、前記第２出射部のうち前記第２窓部から覗く部分の大きさが変化することによって前記第２帯状光の発光範囲が変化する、ようにしてもよい。【０００９】
上記目的を達成するため、本発明の第２の観点に係る指針式計器は、
乗り物に搭載される指針式計器であって、
前記発光装置と、
指標部が形成された板部と、
前記遮光部とともに前記回転軸を中心として回転しつつ前記指標部を指示する指針と、を備える、
ことを特徴とする。【００１０】
上記目的を達成するため、本発明の第３の観点に係る指針式計器は、
乗り物に搭載される指針式計器であって、
前記発光装置と、
指標部が形成された板部と、
前記遮光部とともに前記回転軸を中心として回転しつつ前記指標部を指示する指針と、を備え、
前記遮光部及び前記指針の回転に応じて、前記指針の回転方向における一方側に前記第１帯状光が視認され、前記指針の回転方向における他方側に前記第２帯状光が視認される、
ことを特徴とする。
【発明の効果】
【００１１】
本発明によれば、所定部材の回転に応じた斬新な発光表現を行うことができる。
【図面の簡単な説明】
【００１２】
【図１】本発明の一実施形態に係る複合計器の概略正面図である。
【図２】複合計器の分解斜視図である。
【図３】発光用部品群の分解斜視図である。
【図４】指針と発光用部品群の平面図である。
【図５】図４に示すＡ−Ａ線に沿った複合計器の概略断面図である。
【図６】図４に示すＢ−Ｂ線に沿った複合計器の概略断面図である。
【図７】（ａ）及び（ｂ）は、第１導光部の構成例を示す図である。
【発明を実施するための形態】
【００１３】
本発明の一実施形態に係る発光装置を、図面を参照して説明する。
【００１４】
本発明の一実施形態に係る発光装置は、図１に示す複合計器１に含まれる。複合計器１は、例えばハイブリット車などの車両に搭載され、車両に関する計測量をユーザ（主に運転者）に報知する。複合計器１は、例えば、車両のハンドル前方に配設される。
【００１５】
以下では、構成の理解を容易にするために、複合計器１を正面視したときの手前側を「表」とし、奥側を「裏」として各部を説明する。
【００１６】
複合計器１は、図１に示すように、指針式計器２と、スピードメータ３と、ディスプレイ４とを備える。
【００１７】
指針式計器２は、指針２ａの指示箇所に応じて、車両のモータによるチャージ量及びアシスト量を報知するチャージ／アシストゲージとして機能する。指針２ａ、後述の指標部３１を指示する指示部２ｂと、指針２ａの回転中心部に設けられた指針キャップ２ｃと、を有する。指示部２ｂは、導光材からなり、後述の指針用光源１３からの光により発光可能となっている。指針キャップ２ｃは、遮光性を有し、指示部２ｂの回転中心部を表側から覆う。指針２ａは、軸線ＡＸを中心に、第１の範囲Ｒ１及び第２の範囲Ｒ２に渡って回転可能に構成されている。指針式計器２は、指針２ａが第１の範囲Ｒ１と第２の範囲Ｒ２の境界であるゲージ中間位置Ｎにあるときは、チャージ量とアシスト量がともに無い（ゼロである）状態を示す。
【００１８】
指針２ａがゲージ中間位置Ｎよりも反時計回りに振れた場合は、第１の範囲Ｒ１におけるゲージ中間位置Ｎからの指針２ａの指示位置の割合によって、指針式計器２はアシスト量を報知する。つまり、指針２ａがゲージ中間位置Ｎよりも反時計回りに移動すればするほど、報知対象のアシスト量が増加する。一方、指針２ａがゲージ中間位置Ｎよりも時計回りに振れた場合は、第２の範囲Ｒ２におけるゲージ中間位置Ｎからの指針２ａの指示位置の割合によって、指針式計器２はチャージ量を報知する。つまり、指針２ａがゲージ中間位置Ｎよりも時計回りに移動すればするほど、報知対象のチャージ量が増加する。
【００１９】
また、指針式計器２は、後述の発光表示部３１ａにより、軸線ＡＸを中心とした円周方向に沿って円弧状に延びる帯状光を視認させる。具体的には、指針式計器２は、第１の範囲Ｒ１においては、ゲージ中間位置Ｎから指針２ａの指示箇所にわたって円弧状に延びる第１帯状光Ｌ１（図５参照）を発光表示する。また、指針式計器２は、図１に示すように、第２の範囲Ｒ２においては、ゲージ中間位置Ｎから指針２ａの指示箇所にわたって円弧状に延びる第２帯状光Ｌ２を発光表示する。このように、指針式計器２は、指針２ａの移動に応じてゲージ中間位置Ｎから円弧状に延びる第１帯状光Ｌ１又は第２帯状光Ｌ２を発光表示する発光装置を含み、斬新で見栄えの良い表示を実現する。なお、後述するように、指針２ａが丁度、ゲージ中間位置Ｎに位置した際には、第１帯状光Ｌ１及び第２帯状光Ｌ２は視認されないことになる。また、指針式計器２は、後述の燃料表示部３２により車両の残燃料を報知する。
【００２０】
スピードメータ３は、図１に示すように指針式計器２の左隣りに設けられ、指針３ａの指示箇所に応じて、車速を報知する。ディスプレイ４は、指針式計器２及びスピードメータ３の一部（指針２ａ及び指針３ａの各々の回転中心部近傍）を表側から覆うように設けられ、車両に関する各種情報を画像により報知する。ディスプレイ４は、ＬＣＤ（Liquid Crystal Display）、ＯＬＥＤ（Organic Light Emitting Diode）などから構成されてい
る。
【００２１】
以下では、複合計器１の構成のうち、発光装置を含む指針式計器２に関連する構成を中心に説明する。
【００２２】
複合計器１は、図２に示す回路基板１０、インナーケース２０、板部３０、及び発光用部品群１００と、図５及び図６に示すリアケース４０と、を備える。また、複合計器１は、図示しないレンズと見返し部材を、板部３０よりも表側に備える。
【００２３】
回路基板１０は、各種回路が形成されたプリント回路板から構成されている。回路基板１０に実装されるか、回路基板１０と電気的に接続される制御部（図示せず）によって、複合計器１の全体動作が制御される。回路基板１０は、図５及び図６に示すように、リアケース４０の表側に位置する。回路基板１０の裏側には、指針２ａを回転させるためのモータ１１が実装されている。モータ１１は、例えばステッピングモータから構成されている。モータ１１の回転軸１１ａは、回路基板１０の基材を貫通して回路基板１０の表側へと突出している。回転軸１１ａの先端部に指針２ａが取り付けられていることにより、モータ１１の動作に伴い指針２ａが軸線ＡＸを中心に回転可能となっている。回路基板１０と電気的に接続された制御部は、車両のＥＣＵ（Electronic Control Unit）から取得したチャージ量及びアシスト量に応じて、モータ１１を介し、指針２ａを回転させる。
【００２４】
回路基板１０の表側には、後述の発光表示部３１ａを発光させるための光源１２が実装されている。また、回路基板１０の表側には、指針２ａを発光させるための指針用光源１３も実装されている。光源１２と指針用光源１３の各々は、例えば、ＬＥＤ（Light Emitting Diode）から構成されている。光源１２は、例えば複数あり、指針２ａの回転範囲に概ね対応して、図２に示すように回転軸１１ａを中心に円弧状に配列されている。指針用光源１３は、例えば複数あり、光源１２よりも回転軸１１ａの近傍に配列されている。
【００２５】
発光表示部３１ａを発光させるための光源１２は、例えば、複合計器１の起動中においては常時点灯している。この実施形態では、複数の光源１２の点灯を個別に制御することによってではなく、後述する発光用部品群１００などの機械的要素により、第１帯状光Ｌ１及び第２帯状光Ｌ２を、指針２ａの回転に追従するように発光させる。
【００２６】
インナーケース２０は、図５及び図６に示すように、リアケース４０に表側から嵌め合わされ、リアケース４０と共に各種部品を収納する。インナーケース２０は、裏側において回路基板１０を保持し、表側において板部３０を保持している。なお、インナーケース２０は、表側においてディスプレイ４なども保持している。インナーケース２０は、板部３０と回路基板１０との間に位置している。
【００２７】
インナーケース２０には、図２に示すように、軸線ＡＸを中心とした略円形の孔２０ａが設けられている。このように設けられた孔２０ａによって、発光用部品群１００の配設スペースが確保されている。
【００２８】
また、インナーケース２０には、孔２０ａを囲むようにして、図４に示すように、円弧状の仕切り部２１が形成されている。仕切り部２１は、回転軸１１ａの円周方向に沿って配列された複数の仕切りを有する。当該複数の仕切りによって、仕切り部２１には、円周方向に沿って配列された複数のセグメント２２が形成される。これらセグメント２２により、帯状光（第１帯状光Ｌ１及び第２帯状光Ｌ２）の発光範囲が規定される。
【００２９】
各セグメント２２には、光源１２から発せられた後に、発光用部品群１００を介して、回転軸１１ａの外径方向に出射された光を、表側に向けて効率良く反射させる斜面２２ａが形成されている。このため、インナーケース２０は、反射効率の良い白色に所定の樹脂材から形成されている。なお、インナーケース２０において、少なくとも斜面２２ａに反射率の高い塗装を施すなどしても良い。
【００３０】
板部３０は、図２に示すように、指針２ａに指示される指標部３１と、燃料表示部３２とを有する。板部３０は、インナーケース２０の表側に設けられている。板部３０は、例えば、ポリカーボネート等の透光性板材の表面と裏面との少なくとも一方に印刷層を形成したものであり、板材の広範囲に渡って遮光性印刷層が形成されている。板部３０は、軸線ＡＸを中心とした略円形の開口部３０ａを有する。この開口部３０ａによって、回転軸１１ａに取り付けられた指針２ａは、板部３０の表側において回転することが可能となっている。
【００３１】
板部３０の指標部３１は、発光表示部３１ａと、意匠部３１ｂと、を有する。
【００３２】
発光表示部３１ａは、インナーケース２０の仕切り部２１に対応して円弧状に形成されている。発光表示部３１ａは、仕切り部２１の各セグメント２２に対応して、回転軸１１ａの円周方向に沿って配列された複数の透過窓３１ｃを有する。これら透過窓３１ｃは、板部３０において遮光性印刷層が施されていない部分により形成され、透光性を有している。これにより、１つの透過窓３１ｃは、当該透過窓３１ｃに対応する１つのセグメント２２の斜面２２ａで反射し、表側に向かう光を透過させることができる。
【００３３】
意匠部３１ｂは、例えば印刷層により形成され、文字、図形、記号などから構成されている。この実施形態に係る意匠部３１ｂは、発光表示部３１ａの役割を示すために設けられ、車両のモータによるアシスト量を示す「ＰＯＷＥＲ」という文字と、チャージ量を示す「ＣＨＡＲＧＥ」という文字と、指針２ａの回転範囲を示すとともに「ＰＯＷＥＲ」と「ＣＨＡＲＧＥ」の境界を示す略円弧状の図形とを有している。
【００３４】
燃料表示部３２は、車両の残燃料をバーグラフ状の発光により報知する。燃料表示部３２は、例えば、板部３０において遮光性印刷層が施されていない部分により形成され、透光性を有している。これにより、回路基板１０に実装された燃料表示用の光源により発光可能となっている。
【００３５】
発光用部品群１００は、図３に示すように、導光体１１０と、ガイドケース１２０と、遮光キャップ１３０と、導光部１４０と、を備える。
【００３６】
導光体１１０は、光源１２から受けた光を内部に導き、回転軸１１ａの外径方向に向かって出射する。導光体１１０は、例えばアクリル樹脂などによって透明に形成された導光部材である。導光体１１０は、指針用光源１３からの光を指針２ａに向けて導く導光部分とともに一体で成形されている。なお、導光体１１０は、当該導光部分と別体であってもよい。導光体１１０は、例えば、回路基板１０の基材に公知の手法で固定されている。
【００３７】
導光体１１０は、図３に示すように、光源１２からの受けた光を回転軸１１ａの外径方向へと出射する出射部１１２を備える。具体的には、出射部１１２は、第１の範囲Ｒ１に対応して形成された第１出射部１１２ａと、第２の範囲Ｒ２に対応して形成された第２出射部１１２ｂと、を有する。つまり、第１出射部１１２ａと第２出射部１１２ｂとは、回転軸１１ａの円周方向においてゲージ中間位置Ｎを境に隣り合うように位置する。図５に示すように、第１出射部１１２ａから出射された光が第１帯状光Ｌ１となる。図６に示すように、第２出射部１１２ｂから出射された光が第２帯状光Ｌ２となる。
【００３８】
また、導光体１１０は、図５に示すように、第１出射部１１２ａに対応する第１受光部１１１ａを有する。ここで、複数の光源１２のうち、第１の範囲Ｒ１に対応して配設されたものを第１光源１２ａとすると、第１受光部１１１ａは、図５に示すように、第１光源１２ａと対向する。また、導光体１１０は、第１受光部１１１ａから内部に入射した第１光源１２ａからの光を回転軸１１ａの外径方向に向けて反射させる反射面を有する。第１の範囲Ｒ１に着目すると、導光体１１０は、第１光源１２ａが発した光を第１受光部１１１ａから受け、反射面を介して、第１出射部１１２ａから出射する。第１出射部１１２ａから出射された光が第１帯状光Ｌ１となる。
【００３９】
また、導光体１１０は、図６に示すように、第２出射部１１２ｂに対応する第２受光部１１１ｂを有する。ここで、複数の光源１２のうち、第２の範囲Ｒ２に対応して配設されたものを第２光源１２ｂとすると、第２受光部１１１ｂは、図６に示すように、第２光源１２ｂと対向する。また、導光体１１０は、第２受光部１１１ｂから内部に入射した第２光源１２ｂからの光を回転軸１１ａの外径方向に向けて反射させる反射面を有する。第２の範囲Ｒ２に着目すると、導光体１１０は、第２光源１２ｂが発した光を第２受光部１１１ｂから受け、反射面を介して、第２出射部１１２ｂから出射する。第２出射部１１２ｂから出射された光が第２帯状光Ｌ２となる。このようにして、導光体１１０は、第１帯状光Ｌ１に対応する第１の光路と、第２帯状光Ｌ２に対応する第２の光路とを実現する。
【００４０】
また、第１出射部１１２ａと第２出射部１１２ｂとは、軸線ＡＸに沿う方向において異なる高さに位置し、ゲージ中間位置Ｎを境として段違いに形成されている。図５と図６を対比して分かるように、第１出射部１１２ａは、第２出射部１１２ｂよりも板部３０の近くに位置する。このように第１出射部１１２ａと第２出射部１１２ｂとが段違いに形成されていることにより、第１の光路を進み、第１帯状光Ｌ１として視認される光と、第２の光路を進み、第２帯状光Ｌ２として視認される光とは、互いに段違いの位置から出射される。
【００４１】
ガイドケース１２０は、後述する第１導光部１４１と第２導光部１４２を保持するものである。ガイドケース１２０は、例えば、ポリプロピレン等の樹脂から遮光性を有して形成されている。ガイドケース１２０は、その外周部において、公知の手法により回路基板１０に固定されている。また、ガイドケース１２０は、回転軸１１ａの近傍部で、導光体１１０を回路基板１０との間で挟持する。
【００４２】
ガイドケース１２０は、図３に示すように、軸線ＡＸを中心に扇状に形成された第１溝部１２１及び第２溝部１２２と、を有する。第１溝部１２１には、後述する第１導光部１４１が表側から嵌められる。第２溝部１２２には、後述する第２導光部１４２が裏側から嵌められる。また、ガイドケース１２０は、軸線ＡＸを中心とした円周方向において第１導光部１４１と第２導光部１４２とを隔てる遮光壁１２３を有している。第１溝部１２１は、第１の範囲Ｒ１に渡って設けられている。第２溝部１２２は、第２の範囲Ｒ２に渡って設けられている。遮光壁１２３は、ゲージ中間位置Ｎに沿って設けられている。
【００４３】
第１溝部１２１は、軸線ＡＸを中心に放射状に延びるとともに、表側に向かって突出した複数の壁を有している。このような複数の壁を有していることにより、第１溝部１２１には、放射状に延びる複数の溝が形成されている。第１溝部１２１の軸線ＡＸ側は、導光体１１０の第１出射部１１２ａと対向している。第１溝部１２１の周縁は、インナーケース２０の仕切り部２１のうち第１の範囲Ｒ１に対応する部分と対向している。第１溝部１２１を構成する溝と、第１の範囲Ｒ１におけるインナーケース２０のセグメント２２とは、一対一で対応するように設けられている。
【００４４】
第２溝部１２２は、軸線ＡＸを中心に放射状に延びるとともに、裏側に向かって突出した複数の壁を有している。このような複数の壁を有していることにより、第２溝部１２２には、放射状に延びる複数の溝が形成されている。第２溝部１２２の軸線ＡＸ側は、導光体１１０の第２出射部１１２ｂと対向している。第２溝部１２２の周縁は、インナーケース２０の仕切り部２１のうち第２の範囲Ｒ２に対応する部分と対向している。第２溝部１２２を構成する溝と、第２の範囲Ｒ２におけるインナーケース２０のセグメント２２とは、一対一で対応するように設けられている。
【００４５】
また、ガイドケース１２０は、図５に示すように、第１溝部１２１の裏側に形成された第１空間１２４と、図６に示すように、第２溝部１２２の表側に形成された第２空間１２５とを有して形成されている。第１空間１２４は、第１の範囲Ｒ１において発光可能な第１帯状光Ｌ１の発光時に、第２の範囲Ｒ２が発光しないように、漏光をトラップする空間として設けられている。具体的には、第１空間１２４は、第１帯状光Ｌ１の発光時に、後述の遮光キャップ１３０の窓部１３２から第２の範囲Ｒ２に渡って漏れ出る光を抑制するために設けられている。第２空間１２５は、第２の範囲Ｒ２において発光可能な第２帯状光Ｌ２の発光時に、第１の範囲Ｒ１が発光しないように、漏光をトラップする空間として設けられている。具体的には、第２空間１２５は、第２帯状光Ｌ２の発光時に、後述の遮光キャップ１３０の窓部１３２から第１の範囲Ｒ１に渡って漏れ出る光を抑制するために設けられている。
【００４６】
遮光キャップ１３０は、図５及び図６に示すように、指針２ａの指針キャップ２ｃと、板部３０の開口部３０ａとの間を塞ぐようにして設けられる。遮光キャップ１３０は、裏側に向かって開口する蓋状に形成されている。遮光キャップ１３０は、例えば、ポリカーボネート等からなる透明シートに黒印刷を実施し、圧空成形などで絞り加工を施すことで形成される。なお、遮光キャップ１３０は、射出成型の後に黒塗装を表面に施すことで形成してもよいし、遮光性を有する樹脂材によって形成してもよい。
【００４７】
遮光キャップ１３０は、回転軸１１ａに対して固定され、指針２ａと共に軸線ＡＸを中心に回転する。例えば、遮光キャップ１３０は、指針２ａの指針キャップ２ｃに固定されていることで、指針２ａに固定されている。
【００４８】
遮光キャップ１３０は、図３に示すように、回転軸１１ａの径方向において出射部１１２と対向して導光体１１０を覆う円筒状の壁部１３１を有する。壁部１３１には、透光性を有する窓部１３２が形成されている。例えば、窓部１３２は、遮光キャップ１３０において遮光性印刷層が無い部分により形成されている。なお、窓部１３２は、壁部１３１に設けられた開口部によって形成されてもよい。
【００４９】
窓部１３２は、図３に示すように、遮光キャップ１３０の円周方向に沿って、互いに隣り合う第１窓部１３２ａ及び第２窓部１３２ｂを有する。第１窓部１３２ａと第２窓部１３２ｂとは、指針２ａの指示部２ｂを境として、隣り合うように配置されている。
【００５０】
また、第１窓部１３２ａと第２窓部１３２ｂとは軸線ＡＸに沿う軸方向において異なる高さに、段違いに位置している。図５と図６を対比して分かるように、第１窓部１３２ａは、第２窓部１３２ｂよりも板部３０の近くに位置する。第１窓部１３２ａは、導光体１１０の第１出射部１１２ａと同じ高さに位置する。第２窓部１３２ｂは、導光体１１０の第２出射部１１２ｂと同じ高さに位置する。
【００５１】
ここで、図４に示すように、指針２ａの指示部２ｂが丁度、ゲージ中間位置Ｎに位置しているときには、軸線ＡＸを中心とした径方向において、第１窓部１３２ａと第１出射部１１２ａとは重ならず、且つ、第２窓部１３２ｂと第２出射部１１２ｂとは重ならない。つまり、指示部２ｂがゲージ中間位置Ｎに位置しているときは、第１出射部１１２ａは、壁部１３１のうち第１窓部１３２ａと同じ高さにある部分と対向し、壁部１３１によって塞がれた状態となる。また、指示部２ｂがゲージ中間位置Ｎに位置しているときは、第２出射部１１２ｂは、壁部１３１のうち第２窓部１３２ｂと同じ高さにある部分と対向し、壁部１３１によって塞がれた状態となる。
【００５２】
指針２ａの指示部２ｂがゲージ中間位置Ｎから反時計回りに回転すればするほど、第１窓部１３２ａのうち、第１出射部１１２ａと重なる領域が増加していく。つまり、指針２ａの指示部２ｂがゲージ中間位置Ｎから反時計回りに回転すればするほど、第１出射部１１２ａから出射され、第１窓部１３２ａを通過する光の量が増加していく。このような機構により、第１の範囲Ｒ１においては、後述するように第１帯状光Ｌ１が回転移動する指針２ａに追従して発光表示される。
【００５３】
指針２ａの指示部２ｂがゲージ中間位置Ｎから時計回りに回転すればするほど、第２窓部１３２ｂのうち、第２出射部１１２ｂと重なる領域が増加していく。つまり、指針２ａの指示部２ｂがゲージ中間位置Ｎから時計回りに回転すればするほど、第２出射部１１２ｂから出射され、第２窓部１３２ｂを通過する光の量が増加していく。このような機構により、第２の範囲Ｒ２においては、後述するように第２帯状光Ｌ２が回転移動する指針２ａに追従して発光表示される。
【００５４】
以上のように、第１窓部１３２ａは、指針２ａがゲージ中間位置Ｎから反時計回りに移動すればするほど、光を通過させる部分の面積が増加する。また、第２窓部１３２ｂは、指針２ａがゲージ中間位置Ｎから時計回りに移動すればするほど、光を通過させる部分の面積が増加する。
【００５５】
導光部１４０は、ポリカーボネートなどの透明樹脂からなり、図３に示すように、第１導光部１４１と、第２導光部１４２と、を有する。
【００５６】
第１導光部１４１は、図３に示すように、ガイドケース１２０の第１溝部１２１に表側から嵌められる。第１導光部１４１は、導光体１１０の第１出射部１１２ａから出射され、第１窓部１３２ａを通過した光を、インナーケース２０の仕切り部２１のうち第１の範囲Ｒ１に対応した部分に、効率良く導くために設けられる。第１導光部１４１は、軸線ＡＸを中心として放射状に延びるとともに、軸線ＡＸの円周方向に複数配列された櫛歯状に形成されている。第１導光部１４１を構成する複数の歯は、第１溝部１２１を構成する複数の溝に対応して形成されている。
【００５７】
なお、第１導光部１４１を構成する櫛歯は、一体に形成されてもよいが、複数の部材を組み合わせることで構成されてもよい。例えば、第１導光部１４１は、図７（ａ）、（ｂ）に示すように、第１の櫛歯状導光体１４１ａと、第２の櫛歯状導光体１４１ｂとを組み合わせることによって構成されてもよい。この場合、第１の櫛歯状導光体１４１ａを構成する複数の歯のうち、隣り合うもの同士の間に生じさせた間隔に、第２の櫛歯状導光体１４１ｂを構成する複数の歯が挿入可能なようにして、第１の櫛歯状導光体１４１ａと第２の櫛歯状導光体１４１ｂとを組み合わせればよい。このようにすることで、金型を用いた成形の制約を回避しつつ、細かな櫛歯形状を実現することができる。これは、第２導光部１４２についても同様である。
【００５８】
第２導光部１４２は、図３に示すように、ガイドケース１２０の第２溝部１２２に裏側から嵌められる。第２導光部１４２は、導光体１１０の第２出射部１１２ｂから出射され、第２窓部１３２ｂを通過した光を、インナーケース２０の仕切り部２１のうち第２の範囲Ｒ２に対応した部分に、効率良く導くために設けられる。第２導光部１４２は、軸線ＡＸを中心として放射状に延びるとともに、軸線ＡＸの円周方向に複数配列された櫛歯状に形成されている。第２導光部１４２を構成する複数の歯は、第２溝部１２２を構成する複数の溝に対応して形成されている。
【００５９】
複合計器１の構成は以上である。続いて、指針式計器２の発光動作を説明する。
【００６０】
指針２ａの指示部２ｂが第１の範囲Ｒ１にあるときは、遮光キャップ１３０の第１窓部１３２ａは、導光体１１０の第１出射部１１２ａから出射される光を通す状態となる。このとき、当該光は、図５に示す第１の光路に沿って進行可能な状態となる。
【００６１】
図５に示すように、第１光源１２ａからの光は、導光体１１０の第１受光部１１１ａから内部に入射し、第１出射部１１２ａから軸線ＡＸを中心とした外径方向に出射される。第１出射部１１２ａから出射された光は、ガイドケース１２０の第１溝部１２１内にある第１導光部１４１に導かれて、インナーケース２０に形成されたセグメント２２の斜面２２ａで反射する。斜面２２ａで反射した光は、表側へと向かい、板部３０に形成された透過窓３１ｃを透過し、第１帯状光Ｌ１として視認される。
【００６２】
この際、指針２ａがゲージ中間位置Ｎよりも反時計回りに移動すればする程、第１窓部１３２ａを通過する光の量が増加し、第１窓部１３２ａからは、ゲージ中間位置Ｎから反時計回りに拡がる扇状の光が出射される。扇状の光が拡がれば拡がる程、櫛歯状の第１導光部１４１によって回転軸１１ａの外径方向へと導かれる光も、ゲージ中間位置Ｎから反時計回りに拡がっていく。そして、第１導光部１４１の櫛歯を構成する複数の歯先の各々からは、対応するセグメント２２に向けて光が出射される。結果として、ゲージ中間位置Ｎから指針２ａの指示部２ｂが指示している位置に渡って板部３０の透過窓３１ｃが発光し、ゲージ中間位置Ｎから反時計回りに、円弧状に延びる第１帯状光Ｌ１が視認される。透過窓３１ｃは、発光表示部３１ａにおいて円弧状に複数配列されているため、第１帯状光Ｌ１は、第１の範囲Ｒ１において円弧状に増減するバーグラフのように視認される。
【００６３】
一方、指針２ａの指示部２ｂが第２の範囲Ｒ２にあるときは、遮光キャップ１３０の第２窓部１３２ｂは、導光体１１０の第２出射部１１２ｂから出射される光を通す状態となる。このとき、当該光は、図６に示す第２の光路に沿って進行可能な状態となる。
【００６４】
図６に示すように、第２光源１２ｂからの光は、導光体１１０の第２受光部１１１ｂから内部に入射し、第２出射部１１２ｂから軸線ＡＸを中心とした外径方向に出射される。第２出射部１１２ｂから出射された光は、ガイドケース１２０の第２溝部１２２内にある第２導光部１４２に導かれて、インナーケース２０に形成されたセグメント２２の斜面２２ａで反射する。斜面２２ａで反射した光は、表側へと向かい、板部３０に形成された透過窓３１ｃを透過し、第２帯状光Ｌ２として視認される。
【００６５】
この際、指針２ａがゲージ中間位置Ｎよりも時計回りに移動すればする程、第２窓部１３２ｂを通過する光の量が増加し、第２窓部１３２ｂからは、ゲージ中間位置Ｎから時計回りに拡がる扇状の光が出射される。扇状の光が拡がれば拡がる程、櫛歯状の第２導光部１４２によって回転軸１１ａの外径方向へと導かれる光も、ゲージ中間位置Ｎから時計回りに拡がっていく。そして、第２導光部１４２の櫛歯を構成する複数の歯先の各々からは、対応するセグメント２２に向けて光が出射される。結果として、ゲージ中間位置Ｎから指針２ａの指示部２ｂが指示している位置に渡って板部３０の透過窓３１ｃが発光し、ゲージ中間位置Ｎから時計回りに、円弧状に延びる第２帯状光Ｌ２が視認される。透過窓３１ｃは、発光表示部３１ａにおいて円弧状に複数配列されているため、第２帯状光Ｌ２は、図１に示すように、第２の範囲Ｒ２において円弧状に増減するバーグラフのように視認される。
【００６６】
なお、第１帯状光Ｌ１と第２帯状光Ｌ２との発光色を変えたい場合には、（ｉ）複数の光源１２のうち、第１光源１２ａと第２光源１２ｂの発光色を変えてもよいし、（ｉｉ）遮光キャップ１３０の第１窓部１３２ａと第２窓部１３２ｂとに互いに色違いの透光性着色層を設けてもよいし、（ｉｉｉ）板部３０の発光表示部３１ａにおいて、第１の範囲Ｒ１にある透過窓３１ｃと、第２の範囲Ｒ２にある透過窓３１ｃとに、互いに色違いの透光性着色層を設けてもよいし、（ｉｖ）これらの組合せにより実現してもよい。
【００６７】
また、指針２ａの回転に対する、バーグラフ状に視認される第１帯状光Ｌ１及び第２帯状光Ｌ２の点灯タイミングは、遮光キャップ１３０における、第１窓部１３２ａ及び第２窓部１３２ｂの各々の回転軸１１ａの円周方向に沿う長さを変化させることで、調整することが可能である。
【００６８】
また、以上では、板部３０へ向かう出射光を得るため、インナーケース２０の斜面２２ａを用いたが、第１導光部１４１及び第２導光部１４２の先端部を延長し、当該先端部の底面に反射面を設けることで、第１導光部１４１及び第２導光部１４２に導かれた光を板部３０に向かって反射させる構成を採用してもよい。この場合、インナーケース２０の仕切り部２１を省いても良い。
【００６９】
なお、本発明は以上の実施形態及び図面によって限定されるものではない。本発明の要旨を変更しない範囲で、適宜、変更（構成要素の削除も含む）を加えることが可能である。
【００７０】
（１）以上に説明した指針式計器２に含まれる発光装置は、回転軸１１ａの円周方向に延びる帯状光を視認させる。発光装置は、光源１２と、光源１２から受けた光を回転軸１１ａの外径方向に出射する出射部１１２を有する導光体１１０と、回転軸１１ａの径方向において出射部と対向する壁部１３１を有し、回転軸１１ａを中心に回転可能な遮光キャップ１３０（遮光部の一例）と、遮光キャップ１３０を回転させるモータ１１（駆動部の一例）と、を備える。壁部１３１は、出射部１１２から出射された光を通過させる窓部１３２を有する。この発光装置では、遮光キャップ１３０の回転に応じて、出射部１１２のうち窓部１３２から覗く部分の大きさが変化することによって、帯状光の発光範囲が変化する。
このようにしたので、遮光キャップ１３０の回転に応じた斬新な発光表現を行うことができる。
【００７１】
なお、帯状光は、円弧状に視認されるものに限られず、扇状に視認されてもよい。また、発光装置は、指針式計器２に含まれていなくてもよい。また、出射部１１２は、互いに段違いに形成された第１出射部１１２ａ及び第２出射部１１２ｂを有していなくともよい。また、窓部１３２は、互いに段違いに形成された第１窓部１３２ａと第２窓部１３２ｂを有していなくともよい。
【００７２】
（２）また、出射部１１２は、第１出射部１１２ａと、第１出射部１１２ａと回転軸１１ａに沿う方向（軸線ＡＸに沿う方向）において異なる高さに位置する第２出射部１１２ｂと、を有する。窓部１３２は、第１出射部１１２ａから出射された光を通過させる第１窓部１３２ａと、第２出射部１１２ｂから出射された光を通過させる第２窓部１３２ｂと、を有する。帯状光は、第１窓部１３２ａを通過した光に対応して視認される第１帯状光Ｌ１と、第２窓部１３２ｂを通過した光に対応して視認される第２帯状光Ｌ２と、を含む。遮光キャップ１３０の回転に応じて、第１出射部１１２ａのうち第１窓部１３２ａから覗く部分の大きさが変化することによって第１帯状光Ｌ１の発光範囲が変化し、第２出射部１１２ｂのうち第２窓部１３２ｂから覗く部分の大きさが変化することによって第２帯状光Ｌ２の発光範囲が変化する。
このように遮光キャップ１３０の回転に応じて、第１帯状光Ｌ１と第２帯状光Ｌ２の発光範囲を変化させることができるため、斬新な発光表現を行うことができる。
【００７３】
（３）また、遮光キャップ１３０における第１窓部１３２ａと第２窓部１３２ｂとは互いに、回転軸１１ａの円周方向において重ならない位置に設けられ、遮光キャップ１３０が第１の方向（例えば、反時計回り）に回転するに従って、第１出射部１１２ａのうち第１窓部１３２ａから覗く部分が大きくなることによって、第１帯状光Ｌ１の発光範囲が増加し、遮光キャップ１３０が第１の方向とは反対の第２の方向（例えば、時計回り）に回転するに従って、第２出射部１１２ｂのうち第２窓部１３２ｂから覗く部分が大きくなることによって、第２帯状光Ｌ２の発光範囲が増加する、ようにしてもよい。
【００７４】
（４）また、第１出射部１１２ａと回転軸１１ａの径方向において対向し、第１窓部１３２ａを通過した光を回転軸１１ａの外径方向へと導く第１導光部１４１と、第２出射部１１２ｂと回転軸１１ａの径方向において対向し、第２窓部１３２ｂを通過した光を回転軸１１ａの外径方向へと導く第２導光部１４２と、を備え、第１導光部１４１から出射された光に対応して第１帯状光Ｌ１が視認され、第２導光部１４２から出射された光に対応して第２帯状光Ｌ２が視認される、ようにしてもよい。
【００７５】
なお、第１導光部１４１及び第２導光部１４２を設けない構成を採用してもよい。例えば、ガイドケース１２０の第１溝部１２１及び第２溝部１２２に、導光体１１０から出射される出射光を効率よく回転軸１１ａの外径方向へ導くため、反射率の高い塗装を施しても良い。
【００７６】
（５）また、回転軸１１ａの円周方向において第１導光部１４１と第２導光部１４２とを隔てる遮光壁１２３を備えていてもよい。
このようにすれば、第１帯状光Ｌ１の発光領域と、第２帯状光Ｌ２の発光領域との境界を明瞭にすることができる。
【００７７】
（６）また、第１導光部１４１及び第２導光部１４２の各々は、回転軸１１ａの円周方向に配列された複数の歯を有して櫛歯状に形成されていてもよい。
このようにすれば、櫛歯を構成する複数の歯先から、帯状光の基となる光を出射することができるため、セグメント状に分割された発光が可能であり、より斬新な発光表現が可能である。
【００７８】
（７）また、以上に説明した車両に搭載される指針式計器２は、前記の発光装置と、指標部３１が形成された板部３０と、遮光キャップ１３０とともに回転軸１１ａを中心として回転しつつ指標部３１を指示する指針２ａと、を備える。
このようにしたので、遮光キャップ１３０及び指針２ａの回転に応じた斬新な発光表現を行うことができる。
【００７９】
なお、指針式計器２が搭載される車両は、以上に例示したハイブリッド車に限られず、ガソリン車、電気自動車、水素自動車など様々な車両であってもよい。また、指針式計器２が搭載される乗り物は、車両に限られず、航空機、船舶、農耕機械などであってもよい。また、指針式計器２が報知する対象もチャージ量及びアシスト量に限られず、任意である。指針式計器２は、スピードメータ、タコメータ等として機能するものであってもよい。
【００８０】
（８）また、指針式計器２では、遮光キャップ１３０及び指針２ａの回転に応じて、指針２ａの回転方向における一方側に第１帯状光Ｌ１が視認され、指針２ａの回転方向における他方側に第２帯状光Ｌ２が視認される。
このように第１帯状光Ｌ１及び第２帯状光Ｌ２が指針２ａの回転方向に応じて発光するため、より斬新な発光表現を実現することができる。
【００８１】
（９）また、指針式計器２では、板部３０は、回転軸１１ａの円周方向に沿って形成された透過窓３１ｃを有し、第１帯状光Ｌ１は、透過窓３１ｃのうち回転軸１１ａの円周方向に沿う第１の範囲Ｒ１を透過して視認され、第２帯状光Ｌ２は、透過窓３１ｃのうち回転軸１１ａの円周方向に沿う第２の範囲Ｒ２を透過して視認されてもよい。
【００８２】
なお、以上の実施形態では、複数の透過窓３１ｃがセグメント状に円弧に沿って配列された例を示したが、これに限られない。透過窓３１ｃの形状は任意であり、円弧に沿って形成されていなくともよいし、セグメント状に分割されていなくともよい。
【００８３】
以上の説明では、本発明の理解を容易にするために、公知の技術的事項の説明を適宜省略した。
【符号の説明】
【００８４】
１…複合計器
２…指針式計器、３…スピードメータ、４…ディスプレイ
２ａ…指針、２ｂ…指示部、２ｃ…指針キャップ、ＡＸ…軸線
Ｒ１…第１の範囲、Ｒ２…第２の範囲、Ｎ…ゲージ中間位置
Ｌ１…第１帯状光、Ｌ２…第２帯状光
１０…回路基板
１１…モータ、１１ａ…回転軸
１２…光源（１２ａ…第１光源、１２ｂ…第２光源）
２０…インナーケース
２０ａ…孔、２１…仕切り部、２２…セグメント、２２ａ…斜面
３０…板部、３０ａ…開口部、３２…燃料表示部
３１…指標部
３１ａ…発光表示部、３１ｂ…意匠部、３１ｃ…透過窓
４０…リアケース
１００…発光用部品群
１１０…導光体
１１１ａ…第１受光部、１１１ｂ…第２受光部
１１２…出射部（１１２ａ…第１出射部、１１２ｂ…第２出射部）
１２０…ガイドケース
１２１…第１溝部、１２２…第２溝部、１２３…遮光壁
１３０…遮光キャップ
１３１…壁部、１３２…窓部（１３２ａ…第１窓部、１３２ｂ…第２窓部）
１４０…導光部、１４１…第１導光部、１４２…第２導光部
【図１】
2018212173.tif 000003
【図２】
2018212173.tif 000004
【図３】
2018212173.tif 000005
【図４】
2018212173.tif 000006
【図５】
2018212173.tif 000007
【図６】
2018212173.tif 000008
【図７】
2018212173.tif 000009
【国際調査報告】
2018212173.tif 000010
2018212173.tif 000011
2018212173.tif 000012
2018212173.tif 000013